(57)【特許請求の範囲】
【請求項１】
建物躯体の屋根部と壁部とにかけて設けられる窓枠の内側に、上記壁部に沿う下部ガラスと上記屋根部に沿う上部ガラスとを屈曲状態に連結した天窓において、下部ガラスと上部ガラスとを金属製の防火用アタッチメントを介して連結させ、該防火用アタッチメントには上記上下部のガラスの突合せ側の端部を、上記上下部のガラスをシール固定するシール材が熱により溶解した状態においても上下部のガラスの脱落を防ぐ程度の飲み込み深さで飲み込む飲み込み部を形成するとともに、上記アタッチメントの両端には係止部を有する固定金具を取り付ける一方、上記窓枠に鈎片を有する押し縁を取り付け、上記係止部を上記鈎片に係止させてアタッチメントと窓枠とを係止することを特徴とする天窓。
【発明の詳細な説明】
【０００１】
【発明の属する技術分野】
本発明は、建物躯体の屋根部と壁部とにかけて設けられる窓枠の内側に、壁部に沿う下部ガラスと屋根部に沿う上部ガラスとを屈曲状態に連結した天窓に関する。
【０００２】
【従来技術とその問題点】
一般に、住宅用の天窓は屋根に配置されたものが多いが、狭い敷地でより多くの採光を得るために、建物躯体の屋根部と壁部とにかけて設けられる窓枠の縦枠部の一部を垂直部と傾斜部とに屈曲形成し、垂直の下部ガラスの上に傾斜した上部ガラスを連結する方式の天窓が知られている。このような天窓によれば、特に太陽が低い位置にあるときに、垂直のガラス部分でより多くの採光が可能となる。
【０００３】
しかしながら、このような天窓は、上下のガラスの端部を直接に突合せて接着材により接合するものであったから、火災時には突合せ部分が溶解して上部のガラスが窓枠から脱落してしまう危険性がある。そのため、上記天窓は住宅用の防火戸としては認められていない。場所によっては防火地域があり、そこでは防火対応の窓を取り付けることが義務付けられているが、防火地域では上記天窓が採用されることはなかった。
【０００４】
【発明が解決しようとする課題】
本発明は上記問題点を解消し、防火仕様とすることにより防火地域での採用を可能とする天窓をその課題とする。
【０００５】
【課題を解決するための手段】
前記課題を解決するため、本発明に係る天窓は、建物躯体の屋根部と壁部とにかけて設けられる窓枠の内側に、上記壁部に沿う下部ガラスと上記屋根部に沿う上部ガラスとを屈曲状態に連結した天窓において、下部ガラスと上部ガラスとを金属製の防火用アタッチメントを介して連結させ、該防火用アタッチメントには上記上下部のガラスの突合せ側の端部を、上記上下部のガラスをシール固定するシール材が熱により溶解した状態においても上下部のガラスの脱落を防ぐ程度の飲み込み深さで飲み込む飲み込み部を形成するとともに、上記アタッチメントの両端には係止部を有する固定金具を取り付ける一方、上記窓枠に鈎片を有する押し縁を取り付け、上記係止部を上記鈎片に係止させてアタッチメントと窓枠とを係止することを特徴とする。
【０００６】
【発明の実施の形態】
図１は天窓の正面図、図２は図１のＸ−Ｘ線上の断面図、図３は図１のＹ−Ｙ線上の断面図を示し、図４は図１のＺ−Ｚ線上の断面図を示す。
【０００７】
図において符号１はアルミニウム等の金属製窓枠を示す。窓枠１は上下枠１ａ、１ｂと左右の縦枠１ｃ及び中縦枠１ｄとから構成され、建物躯体の屋根部と壁部とにかけて形成された開口部２に取り付けられている。
【０００８】
上枠１ａは、図２に示されるように、上記開口部２の額縁を含む上部縁材３ａの外側面と下面とに取り付けるための取付縁４、５を備え、斜め下方には凹溝６が開口形成されている。凹溝６の底部には押し縁７の係止片８が形成され、押し縁７と凹溝６の下縁との間にガラス取付溝９ａが形成されるようになっている。ガラス取付溝９ａの内側の一側にはタイト材嵌合溝１０が形成され、タイト材１３が嵌合されている。なお、縦枠１ｃと中縦枠１ｄは窓枠１の縦枠部を構成するが、中縦枠１ｄはない場合もある。
【０００９】
下枠１ｂは上記開口部２の額縁を含む下部縁材３ｂの上端面と外側とに取り付けるための取付縁１１、１２を備え、上部にはガラス取付溝９ｂが開口形成されている。ガラス取付溝９ｂの内側の一側にはタイト材嵌合溝１０が形成され、タイト材１３が嵌合されている。
【００１０】
縦枠１ｃは、図２に示されるように一部で屈曲するように形成され、図３及び図４に示されるように、上記開口部２の額縁を含む側部縁材３ｃに取り付けるための取付縁１４と押し縁７の係止片８とを備えるとともに、内側部には押し縁７と突縁９ｃとの間にガラス取付溝９ｃが形成されるようになっている。ガラス取付溝９ｃの内側の一側にはタイト材嵌合溝１０が形成され、タイト材１３が嵌合されている。
【００１１】
なお、上部と側部の押し縁７は三方に連続するように配置されるもので、図６に詳しく示すように上枠１ａと縦枠１ｃおよび中縦枠１ｄの係止片８に係止可能な脚片１６を備えるとともに、係止時にガラス取付溝９ａ、９ｃを形成する側には鈎片１７が形成されている。
【００１２】
中縦枠１ｄは縦枠１ｃと同様に一部で屈曲するように形成され、図示はしないが、左右に押し縁の係止片と突縁とを備え、上下枠１ａ、１ｂの間に取り付け固定されるものである。
【００１３】
次に、上記縦枠１ｃと中縦枠１ｄの中間部の屈曲部とは金属製アタッチメント１８を介して連結されている。このアタッチメント１８は、図５及び図６に示されるように、互いに平行で、上記縦枠１ｃと中縦枠１ｄの中間部の屈曲部に対応するように屈曲した内外両側縁１９、２０を中途部が二股に分岐した連結縁２１で連結したもので、連結部分には上記二股部により中空部２２が形成されている。また、外側縁２０と内側縁１９との間にはガラス飲み込み部２３、２４が互いに反対側に開口するように形成されている。アタッチメント１８のガラス飲み込み部２３、２４の飲み込み深さは、後に示す取り付け状態において上下部のガラスの脱落を防ぐ程度とする。ガラス飲み込み部２３、２４の内側の一方にはタイト材嵌合溝１０が形成され、タイト材１３が取り付けられている。
【００１４】
また、アタッチメント１８には、外側縁２０の両端部にＪ字形の固定金具２５がねじ止め固定されて外方に突出している。固定金具２５の先端には押し縁７の鈎片１７に係止できる程度の係止部２６が形成されている。なお、固定金具２５をアタッチメント１８に固定するための止めねじ３１は、アタッチメント１８の中空部２２内にとどまっているので、たとえ止めねじ３１の孔から雨水が浸入しても、直接に室内側に入り込むことはない。
【００１５】
また、アタッチメント１８は、縦枠１ｃと中縦枠１ｄとの間の寸法と同じ長さのものが２本と左右の中縦枠１ｄ間の寸法と同じ長さのものが１本の計３本が準備される。
【００１６】
次に、天窓を組み立てるときは、建屋躯体の開口部２に上枠１ａ、下枠１ｂ、中縦枠１ｄ及び縦枠１ｃによって窓枠１を枠組みして固定する。次に、下枠１ｂの適宜位置にセッティングピース２７を配置し、下部ガラス２８を下枠１ｂのガラス取付溝９ｂに入れ、セッティングピース２７の上に下部ガラス２８を載せる。各押し縁７の脚片１６を中縦枠１ｄと縦枠１ｃの係止片８に係止させる。アタッチメント１８の一方のガラス飲み込み部２３を下方に開口するように向け、上記下部ガラス２８の上端を入れこみながら、同時に、図６に示すように、アタッチメント１８の固定金具２５の係止部２６を両側の押し縁７の鈎片１７にスライドして係止させることにより固定する。さらに、下部ガラス２８の周縁部にシール材２９を打ち、下部ガラス２８を固定する。これにより、下部ガラス２８は建物躯体の壁部に沿って配置される。
【００１７】
次に、アタッチメント１８の他方のガラス飲み込み部２４の適宜位置にセッティングピース２７を配置し、上部ガラス３０を上枠１ａとアタッチメント１８のガラス飲み込み部２４にけんどん式に入れこみ、仮固定する。そして、上述と同じ要領で、各押し縁７の脚片１６を上枠１ａと中縦枠１ｄと縦枠１ｃの係止片８に係止させた後、上部ガラス３０の周縁部にシール材２９を打ち、上部ガラス３０を固定する。これによって、これにより、上部ガラス３０は建物躯体の屋根部に沿って配置され、天窓が完成する。
【００１８】
上述のように、上部ガラスと下部ガラスとを金属製の防火用アタッチメント１８を介して連結させているので、火災時でもアタッチメント１８が上下部のガラス３０、２８を良好に保持することができる。
【００１９】
また、アタッチメント１８のガラス飲み込み部の飲み込み深さは、上下部のガラス３０、２８の脱落を防ぐ程度になっているから、火災時等においてガラスの周縁部と窓枠１とをシールしているシール材２９が熱により溶解しても、上部ガラス３０が脱落して落下することがない。したがって、上記天窓は防火対応となり、防火地域においても採用されることが可能になる。
【００２０】
さらに、アタッチメント１８は、両端の固定金具２５により窓枠１に固定されるが、ねじ止めでなく、固定金具２５を窓枠１の縦枠１ｃに一体的に取り付けられる押し縁にスライドさせて係止させるものであるため、施工性がよい。
【００２１】
【発明の効果】
請求項１に係る発明によれば、上下部のガラスは金属製の防火アタッチメントを介して連結されているので、防火仕様の天窓にすることができる。したがって、火災時であってもアタッチメントが溶解することがなく、ガラスの脱落を有効に防止できる。
【００２２】
また、防火アタッチメントを窓枠に固定する際、固定金具を窓枠の縦枠にスライドさせて係止させるものであるため、施工性がよい。
【図面の簡単な説明】
【図１】  本発明に係る天窓の正面図
【図２】  図１のＸ−Ｘ線上の断面図
【図３】  図１のＹ−Ｙ線上の断面図
【図４】  図１のＺ−Ｚ線上の断面図
【図５】  図２の要部の拡大図
【図６】  防火用アタッチメントと押し縁の斜視図
【符号の説明】
１  窓枠
１８  アタッチメント
２３、２４  飲み込み部
２５  固定金具
２８、３０  ガラス
【図１】
0004096224.tif 000002
【図２】
0004096224.tif 000003
【図３】
0004096224.tif 000004
【図４】
0004096224.tif 000005
【図５】
0004096224.tif 000006
【図６】
0004096224.tif 000007